(57)【特許請求の範囲】
【請求項１】
文字データに画像データが添付された電子メールを無線により受信する受信手段と、
前記電子メールの内容を表示する表示手段と、
複数の異なる感情をそれぞれ文字で表現する複数の顔文字の情報、および当該複数の顔文字の情報にそれぞれ対応する複数の画像を記憶する記憶手段と、
前記画像データに前記電子メールの文字データを前記表示手段で合成表示させる制御手段とを備え、
前記制御手段は、前記表示手段により前記電子メールの文字データが表示されるときに前記記憶手段に記憶された顔文字の情報が表示されるか否かを判定し、当該顔文字を表示手段に表示させる場合、前記顔文字と共に当該顔文字に対応する前記画像を前記表示手段に表示される文字データの背景画像として合成表示するように構成したことを特徴とする携帯端末。
【請求項２】
前記表示手段の表示状態を操作するための操作手段を備え、
前記制御手段は、表示された前記画像データに対して前記文字データを前記操作手段による操作入力に応じて前記表示手段にスクロール表示することを特徴とする請求項１記載の携帯端末。
【請求項３】
前記受信手段により、前記文字データがマークアップ言語で記載された前記電子メールが受信され、
前記操作手段が操作されることにより前記文字データがスクロールされ、前記表示手段により前記マークアップ言語の画像リンク部分が表示されるときに、
前記制御手段は、前記画像リンク部分に対応する画像データを前記表示手段に表示させるように構成したことを特徴とする請求項２記載の携帯端末。
【請求項４】
特定文字情報と当該特定文字情報に対応する画像を記憶する記憶手段を備え、
前記受信手段により前記文字データに特定文字情報が含まれた前記電子メールが受信され、
前記操作手段が操作されることにより前記文字データがスクロールされ、前記表示手段により前記特定文字情報が表示されるときに、
前記制御手段は、前記特定文字情報に対応する前記画像を表示手段に表示させるように構成したことを特徴とする請求項２または３記載の携帯端末。
【請求項５】
前記受信手段により、付加情報の添付された前記電子メールが受信された場合に、
前記制御手段は、前記文字データ及び前記画像データを前記付加情報に基づいて前記表示手段に表示させるように構成したことを特徴とする請求項１ないし４の何れかに記載の携帯端末。
【請求項６】
前記文字データ及び前記画像データについて通常もしくは前記合成表示するかをユーザが選択入力可能な選択手段を設け、
前記制御手段は前記選択入力に基づいて前記表示手段に表示させることを特徴とする請求項１ないし５の何れかに記載の携帯端末。
【請求項７】
文字データに画像データが添付された電子メールを無線により受信する受信手段と、前記電子メールの内容を表示する表示手段と、複数の異なる感情をそれぞれ文字で表現する複数の顔文字の情報、および当該複数の顔文字の情報にそれぞれ対応する複数の画像を記憶する記憶手段と、前記画像データに前記電子メールの文字データを前記表示手段で合成表示させる制御手段とを備えた携帯端末を動作させるプログラムであって、
前記携帯端末の制御手段に、
前記表示手段により前記電子メールの文字データが表示されるときに前記記憶手段に記憶された顔文字の情報が表示されるか否かを判定し、当該顔文字を表示手段に表示させる場合、前記顔文字と共に当該顔文字に対応する前記画像を前記表示手段に表示される文字データの背景画像として合成表示する手順を実行させることを特徴とするプログラム。
【請求項８】
前記携帯端末は操作手段を備え、
前記制御手段に、表示された前記画像データに対して前記操作手段による操作入力に応じて前記文字データをスクロールさせる手順を実行させることを特徴とする請求項７記載のプログラム。
【請求項９】
前記制御手段に、
前記文字データがマークアップ言語で記載された前記電子メールが受信された場合に、
前記操作手段が操作されることにより前記文字データがスクロールされ、前記表示手段により前記マークアップ言語の画像リンク部分が表示されるときに、
前記画像リンク部分に対応する前記画像データを表示させる手順を実行させることを特徴とする請求項８記載のプログラム。
【請求項１０】
前記携帯端末は、特定文字情報と当該特定文字情報に対応する画像を記憶する記憶手段を備え、
前記受信手段により、前記文字データに特定文字情報が含まれた前記電子メールが受信された場合に、
前記制御手段に、前記操作手段の操作入力により前記文字データがスクロールされ、前記表示手段により前記特定文字情報が表示されるときに、
前記記憶手段により記憶された前記特定文字情報と当該特定文字情報に対応する画像を表示手段に表示させる手順を実行させることを特徴とする請求項８または９記載のプログラム。
【請求項１１】
前記受信手段により、付加情報の添付された前記電子メールが受信された場合に、
前記制御手段に、前記文字データ及び前記画像データを前記付加情報に基づいて前記表示手段に表示させる手順を実行させることを特徴とする請求項７ないし１０の何れかに記載のプログラム。
【請求項１２】
前記携帯端末はユーザが選択入力可能な選択手段を備え、
前記制御手段に、
文字データ及び画像データの前記表示手段に対する表示について通常もしくは合成表示するかを前記選択手段の選択入力により設定する手順を実行させることを特徴とする請求項７ないし１１の何れかに記載のプログラム。
【発明の詳細な説明】
【０００１】
【発明の属する技術分野】
本発明は、受信した電子メールの内容を表示可能な携帯端末に関する。
【０００２】
【発明が解決しようとする課題】
受信した電子メールの内容を表示可能な携帯端末において、近年、携帯端末同士で画像を添付した電子メールを送受信することが可能となってきている。この類の携帯端末においては、受信した電子メールの文字データに従属して画像データが表示されるような形態になっていれば、ユーザは、文字データに対応する文字や画像データに対応する画像を閲覧することができる。
【０００３】
ところで、携帯端末は、小さく軽く持ち運びに便利であるという利点を生かすために、電子メールの内容を表示させるディスプレイを特に小型に設ける必要がある。このため、ユーザが電子メールを閲覧するときに、文字データが多いときには添付された画像データをディスプレイに同時に表示できないこともあるため、ユーザは文字データと画像データとを別々に閲覧する必要があり、画面を広い範囲でスクロールさせることが煩わしく不便なものであった。
【０００４】
また、文字データがＨＴＭＬ（HyperText Markup Language）等のマークアップ言語で記述されており、この文字データ中のある文字にリンクした画像を別画面で表示させる機能を持つ携帯端末もあるが、ユーザは文字データ及び文字にリンクした画像データを交互に閲覧する必要があり、その操作が煩わしくなるため不便なものであった。
【０００５】
本発明は、上記事情に鑑みてなされたもので、その目的は、画像データが添付された電子メールを受信したときに、ユーザが電子メールの画像データの表わす画像と文字データの表わす文字とを交互に閲覧する必要をなくしながら、このときの操作が煩わしくならない携帯端末を提供するにある。
【０００６】
【課題を解決するための手段】
上記課題を解決するために請求項１記載の携帯端末によれば、受信手段が文字データに画像データが添付された電子メールを無線により受信すると、制御手段は、画像データに電子メールの文字データを表示手段で合成表示する。これにより、表示手段が小型であったとしても、文字と画像とを別々，交互に閲覧する必要がなくなり、ユーザは、簡単な操作で画像データ及び文字データに対応する画像，文字を同時に閲覧することができる。
しかも、記憶手段が複数の異なる感情をそれぞれ文字で表現する複数の顔文字の情報、および、複数の顔文字の情報にそれぞれ対応する複数の画像を記憶していたとき、表示手段に電子メールの文字データが表示されるときに記憶手段に記憶された顔文字の情報が表示されるか否かを判定し、制御手段は、当該顔文字を表示手段に表示させる場合、前記顔文字と共に当該顔文字に対応する画像を表示手段に表示される文字データの背景画像として合成表示させることになる。これにより、電子メールの受信ユーザに電子メールの内容を画像により視覚的情報を付加して伝えることができ、表現に多様性をもたせることができ、送信側及び受信側ユーザにとって双方の利便性を向上させることができる。
【０００７】
請求項２記載の発明によれば、請求項１記載の携帯端末において、操作手段がユーザにより操作されると、制御手段は、表示された画像データに対して文字データを表示手段にスクロール表示する。すなわち、例えば画像を固定した状態で文字データのみをスクロールさせることができる。これにより、たとえ文字データが長いデータであったとしても、ユーザは、画像の表示をそのままの状態として、文字を閲覧することができる。
【０００８】
請求項３記載の発明によれば、請求項２記載の携帯端末において、受信手段がマークアップ言語で文字データを記載している電子メールを受信すると、マークアップ言語のある特定の画像リンク部分を表示するときに、対応する画像データを表示手段に合成表示するため、ユーザが文字データに含まれる画像リンク部分を押下することなく表示されることになる。これにより、ユーザは、画像リンク部分を押下するという煩わしい操作を行う必要がなく、画像データの内容を見ることができるため、ユーザにとって利便性を向上させることができる。
【０００９】
請求項４記載の発明によれば、請求項２または３記載の携帯端末において、記憶手段が例えば顔文字による特定文字情報を記憶していたとき、スクロールにより表示手段に顔文字が表示されたときに、制御手段は、顔文字に対応する顔の画像を表示手段に合成表示させることになる。これにより、電子メールの受信ユーザに電子メールの内容を画像により視覚的情報を付加して伝えることができ、表現に多様性をもたせることができ、送信側及び受信側ユーザにとって双方の利便性を向上させることができる。
【００１０】
請求項５記載の発明によれば、請求項１ないし４の何れかに記載の携帯端末において、受信手段が付加情報の添付された電子メールを受信した場合、制御手段は文字データ及び画像データを付加情報に基づいて表示手段に表示させる。このとき、例えば付加情報として「笑う」、「怒る」といった感情を示す付加情報が付加された場合に、本発明の携帯端末に組み込まれたアプリケーションプログラムによって「笑う」画像や、「怒る」画像に変換されて、表示手段に画像データ及び文字データを表示する。このとき、電子メールを受信するユーザに感情を伝えることができる。これにより、電子メール送信者の文字データ内容を画像により感覚的に伝えることができるため、電子メールの送信側ユーザにとって利便性を向上させることができる。
【００１１】
請求項６記載の発明によれば、請求項１ないし５の何れかに記載の携帯端末において、ユーザにより通常表示するか合成表示するかが選択されてから、文字データ及び画像データを合成表示することになる。例えば受信した電子メールの個々に応じてユーザが通常表示するか合成表示するかを選択して表示することができるため、電子メールの内容の表示選択の自由度を向上させることができる。
【００１２】
【発明の実施の形態】
（第１の実施形態）
以下本発明の携帯端末を、携帯電話機１に適用した場合の第１の実施形態として図１ないし図６を参照して説明する。尚、本発明の主体は電気的構成に対する制御にあるので、携帯電話機１の外観構成、機構系については周知構成のものと同等であり以下の説明では、必要な部分についてのみ補足的に説明する。
【００１３】
図１は、携帯電話機１の電気的構成を概略的に示している。
携帯電話機１は、全体の制御を行う制御回路２を中心として、無線回路３、携帯電話機１の動作プログラム等が記憶されているメモリ４を主体として構成されている。
【００１４】
制御手段としての制御回路２は、この制御回路２の送受信データ及び送受話音声をある周波数帯域において外部とアンテナ３ａを介して無線通信する無線回路３，制御回路２の動作プログラム及びワークメモリ等を格納するメモリ４，また、ユーザにより押下されることで制御回路２により押下信号が検出されるキーパッド５，外部音を受信するマイクロホン６，制御回路２の音を外部に出力するスピーカ７，制御回路２のプログラム動作に従って内容を表示する表示手段としてのディスプレイ８にそれぞれ接続されている。
【００１５】
制御回路２は、ＣＰＵ(Central Processing Unit)等からなるもので、メモリ４はＲＡＭ及びＥＥＰＲＯＭ，ＲＯＭ等からなるものである。ＲＯＭには携帯電話機１を動作させるための制御プログラムが記憶されており、ＣＰＵは、この制御プログラムに従って、接続される各構成ブロックの動作を制御するようになっている。記憶手段としてのメモリ４は、上述した動作プログラム，制御プログラム及びワークメモリのほかに、表示用の画像メモリ領域、文字データ領域等を別々に確保するようになっている。
【００１６】
受信手段としての無線回路３は、制御回路２からデータが送信されると、所定の周波数の搬送波で変調してアンテナ３ａを介してデジタル無線による送信を行い、自機に対して到来する電波を受信、復調して制御回路２に出力するように構成されている。
【００１７】
操作手段及び選択手段としてのキーパッド５は、通話を開始するための「通話開始」キー、通話を終了するための「通話終了」キー、数字「０」〜「９」や英文字，記号等を入力するための文字キー、決定キー、送信キー、上下左右矢印キーなどの多数のキーを配設して構成されるもので、キーパッド５がユーザにより押下操作されると、制御回路２は、押下されたキーパッド５の各キーの押下信号を検出するように構成されている。
【００１８】
表示手段としてのディスプレイ８は、例えば約１．４インチの液晶画面からなるもので、制御回路２から送信されるデータを表示するように構成されている。このとき、メモリ４に格納される画像メモリの内容と、文字データの内容を重ね合わせて表示可能に構成されている。
【００１９】
以下、上述構成における作用を図２ないし図６をも参照して説明する。図２は、電子メールを受信したときの携帯電話機１のメイン処理のフローチャートを示している。
無線回路３は、携帯電話機１に到来した電子メールを受信すると制御回路２に電子メールのデータを送信する。携帯電話機１の制御回路２は、無線回路３を介して電子メールを受信すると（ステップＳ１）、図３（ａ）にその一例を示すように受信一覧の件名をディスプレイ８に表示させる（ステップＳ２）。ユーザにより電子メールの件名「ａａａ」，「ｂｂｂ」，「ｃｃｃ」のうち何れかが選択される（ステップＳ３：Ｙｅｓ）。図４（ａ），図４（ｂ）は、このときの電子メールのデータ構造の一例を示している。電子メールは、文字データと画像データとからなっており、図４（ｂ）のように複数枚分の画像データが送信されることもある。ここで画像データは、例えばＧＩＦ(Graphics Interchange Format) 形式，ＪＰＥＧ(Joint Photographic Experts Group)形式などで作成されているものである。
【００２０】
制御回路２は、その選択された電子メールに画像データが添付されているか否かを判定し（ステップＳ４）、電子メールに画像データが添付されていれば（ステップＳ４：Ｙｅｓ）、図３（ｂ）にその一例を示す受信設定画面をディスプレイ８に表示させ（ステップＳ５）、合成表示するか否かの条件がユーザにより選択される。図３（ｂ）は「通常」もしくは「合成表示」を選択させる画面を表わしている。尚、ステップＳ４において制御回路２は、画像データが添付されていなければ、通常の表示処理（従来の表示処理）を行い（ステップＳ６）、その処理を終了する。
【００２１】
制御回路２がディスプレイ８に図３（ｂ）を表示させた状態において、「通常」が選択され、「ＯＫ」がアクティブとなる状態で決定キーの押下信号を検出すると、合成表示しないと判定し（ステップＳ７：Ｎｏ）、ステップＳ６において通常表示処理を行い処理を終了する。制御回路２がディスプレイ８に図３（ｂ）を表示させた状態において、「合成表示」が決定キーで選択され、「ＯＫ」がアクティブとなる状態で決定キーの押下信号を検出すると、合成表示すると判定し（ステップＳ７：Ｙｅｓ）、電子メールに添付された画像データをディスプレイ８の背景画面に設定表示させる（ステップＳ８）。そして、制御回路２は、ディスプレイ８に対して以下の表示処理を行う（ステップＳ９）。
【００２２】
図５は、表示処理のフローチャートを示している。
ステップＳ８において、電子メールに添付された画像データをディスプレイ８の背景画面に設定表示させた後、制御回路２は、電子メールの文字データをディスプレイ８に表示させる（ステップＴ１）。すなわち、画像データがディスプレイ８の背景画面に設定表示されていれば、画像データに対応する画像上に文字データに対応する文字が表示される。制御回路２は、キーパッド５の上下矢印キーが押下されたか否かを判定する（ステップＴ２）。すなわち、制御回路２は、キーパッド５の上下矢印キーの押下信号を検出したか否かを判定する。制御回路２は、上下矢印キーの押下信号を検出すると（ステップＴ２：Ｙｅｓ）、ディスプレイ８の表示文字を行ごとにスクロールして（ステップＴ３）、ディスプレイ８に表示させる（ステップＴ４）。同時に、制御回路２は、ディスプレイ８に「終了」ボタンをディスプレイ８の端部に表示させ、ユーザにより電子メールの閲覧を終了するか否かが選択される（ステップＴ５）。尚、ステップＴ２において、制御回路２は、キーパッド５の上下矢印キーの押下信号を検出していなければ（ステップＴ２：Ｎｏ）、ステップＴ３，Ｔ４における文字スクロール処理を行わず、ステップＴ５の処理を行うことになる。
【００２３】
キーパッド５により「終了」ボタンがアクティブな状態で、制御回路２が決定キーの押下信号を検出すると、制御回路２は、表示処理を終了する。制御回路２は、「終了」ボタンがアクティブな状態でキーパッド５の決定キーの押下信号を検出しなければ、ステップＴ１より文字データの表示を繰り返し、ステップＴ５において、「終了」ボタンが選択されるまで、表示処理が繰り返される。
【００２４】
図６（ａ）〜図６（ｃ）は、動作の一例を示している。
文字データとして、図６（ａ）に示すように「こんにちは。写真を送ります。」として、画像データとして、図６（ｂ）に示すように女性の写真が送信されたときに、制御回路２は、図６（ｃ）に示すように女性の画像データの背景画面上に文字データをディスプレイ８に表示させることになる。
【００２５】
このような第１の実施形態によれば、無線回路３が画像データの添付された電子メールを無線により受信すると、制御回路２は、画像データに電子メールの文字データをディスプレイ８で合成表示する。ディスプレイ８が小型であっても、ユーザは簡単な操作で画像データ及び文字データに対応する画像，文字を同時に閲覧することができる。
【００２６】
また、キーパッド５がユーザにより操作されると、制御回路２は、表示された画像データに対して文字データをディスプレイ８にスクロール表示する。これにより、たとえ電子メールに含まれる文字データが長いデータであったとしても、ユーザは、画像の表示をそのままの状態として、文字データを閲覧することができる。
【００２７】
さらに、受信した電子メールの個々に応じてユーザが合成表示するか否かを選択して表示することができ、受信した電子メールの個々に応じてユーザが合成表示するか否かを選択して表示することができるため、電子メールの内容の表示選択の自由度を向上させることができる。
【００２８】
（第２の実施形態）
図７は、本発明の第２の実施形態を示すもので、第１の実施形態と異なるところは、電子メールとしてＨＴＭＬ等のマークアップ言語で記述されたものを受信可能としており、この電子メールを受信したときの制御回路２が行う表示処理が付加されたところである。第１の実施形態と同一部分には同一符号を付してその説明を省略し、以下異なる部分についてのみ説明する。
【００２９】
第１の実施形態中の図２に示すメイン処理において、無線回路３がＨＴＭＬ（HyperText Markup Language），ＸＭＬ（eXtensible Markup Language）等のマークアップ言語で記述されている電子メールを受信すると、無線回路３は制御回路２に電子メールのデータを送信する。制御回路２は、第１の実施形態と同様に図２のステップＳ１〜Ｓ９を繰り返し、ステップＳ８においてあらかじめ設定された画像を背景画面に設定表示して、ステップＳ９において表示処理を行う。尚、このときあらかじめ設定された背景画像としては、標準の背景画像であってもよいし、メモリ４に記憶された顔画像であってもよい。
【００３０】
図７は、表示処理のフローチャートを示している。
制御回路２は、ステップＳ８においてあらかじめ設定された画像を背景画面に設定表示した後、電子メールの文字データをマークアップ言語に対応してディスプレイ８に表示させる（ステップＵ１）。制御回路２は、キーパッド５により上下矢印キーが押下されたか否かを判定する（ステップＵ２）。すなわち、キーパッド５の上下矢印キーの押下信号を検出したか否かを判定する。制御回路２は、キーパッド５の上下矢印キーの押下信号を検出していれば（ステップＵ２：Ｙｅｓ）、ディスプレイ８の表示文字を行ごとにスクロールして（ステップＵ３）、文字データ及び画像データをディスプレイ８に表示させる（ステップＵ４）。同時に、制御回路２は、「終了」ボタンをディスプレイ８の端部に表示させる。尚、ステップＵ２において、制御回路２は、キーパッド５の上下矢印キーの押下信号を検出していなければ（ステップＴ２：Ｎｏ）、ステップＵ３，Ｕ４における文字スクロール処理を行わず、ステップＵ５の処理を行うことになる。
【００３１】
ステップＵ４において、制御回路２は、文字データ及び画像データをディスプレイ８に表示させたとき、例えばＨＴＭＬで記述されていた場合には画像リンク部分（押下されることによって画像が表示される文字のリンク）の文字データが表示されたか否かを判定し（ステップＵ５）、画像リンク部分が表示されていれば（ステップＵ５：Ｙｅｓ）、このときのリンク画像ファイルを背景画面に設定表示させる（ステップＵ６）。尚、リンク画像ファイルは各種画像データファイルを表わしており、例えばＧＩＦ形式，ＪＰＥＧ形式などで書かれている。
【００３２】
ステップＵ５において、制御回路２は、画像リンク部分をディスプレイ８に表示させていなければ、ステップＵ７の処理を行うことになる。
【００３３】
ステップＵ７において、ユーザにより電子メールの閲覧を終了するか否かが選択される。「終了」ボタンがアクティブな状態でキーパッド５の決定キーの押下信号を検出すると（ステップＵ７：Ｙｅｓ）、表示処理を終了する。また、制御回路２は、「終了」ボタンがアクティブな状態でキーパッド５の決定キーの押下信号を検出しなければ（ステップＵ７：Ｎｏ）、ステップＵ２に戻り上述した表示処理（ステップＵ２〜Ｕ７）が繰り返される。
【００３４】
このような第２の実施形態によれば、無線回路３がマークアップ言語で文字データを記載している電子メールを受信すると、マークアップ言語のある特定の画像リンク部分を表示するときに、対応する画像データをディスプレイ８に合成表示するため、ユーザが文字データに含まれる画像リンク部分を押下することなく自動的に表示されることになる。これにより、ユーザは煩わしい操作を行うことがなく画像データの内容を見ることができるため、ユーザにとって利便性を向上させることができる。
【００３５】
（第３の実施形態）
図８ないし図１０は、本発明の第３の実施形態を示すもので、第１もしくは第２の実施形態と異なるところは、特定文字情報として顔文字が含まれた文字データのみの電子メールを無線回路３により受信したときに、制御回路２が行う表示処理である。現在、携帯電話機１において電子メールを使用する際に、その文章中に感情を表わす顔文字として、”笑った顔”、”泣き顔”、”驚きの顔”、”さよならを表わす顔”、”怒り顔”等を表わす顔文字が多種多様に挿入されることがある。本実施形態では、このような顔文字が含まれた電子メールを受信したときの処理を説明する。尚、第１の実施形態と同一部分には同一符号を付してその説明を省略し、以下異なる部分についてのみ説明する。
【００３６】
制御回路２は、無線回路３を介して顔文字が含まれた電子メールを受信すると、第１の実施形態中の図２に示すメイン処理と同様にステップＳ１〜Ｓ９が繰り返す。このとき制御回路２は、ステップＳ８においては、あらかじめ設定された画像を背景画面に設定表示し、ステップＳ９においては、図８に示す表示処理を行う。尚、このときあらかじめ設定された画像としては、標準の背景画像であってもよいし、メモリ４に記憶された顔画像であってもよい。
【００３７】
図８は、表示処理のフローチャートを示している。また、図９には、メモリ４に記憶された顔文字の一例及び対応するファイル名を示している。すなわち、顔文字”笑った顔”に対応するファイル名として"warai.gif"、顔文字”泣き顔”に対応するファイル名として"naki.gif"、顔文字”驚きの顔”に対応するファイル名として"odoroki.gif"、がメモリ４に記憶されている。
【００３８】
制御回路２は、ステップＳ８においてあらかじめ設定された画像を背景画面に設定表示した後、電子メールの文字データをディスプレイ８に表示させる（ステップＶ１）。次に、制御回路２は、キーパッド５により上下矢印キーが押下されたか否かを判定する（ステップＶ２）。制御回路２は、キーパッド５の上下矢印キーの押下信号を検出していれば（ステップＶ２：Ｙｅｓ）、ディスプレイ８の表示文字を行ごとにスクロールして（ステップＶ３）、画像データ及び文字データに対応する画像，文字をディスプレイ８に表示させる（ステップＶ４）。同時に、制御回路２は、「終了」ボタンをディスプレイ８の端部に表示させる。尚、ステップＶ２において、制御回路２は、キーパッド５の上下矢印キーの押下信号を検出していなければ、ステップＶ３，Ｖ４における処理を行わず、ステップＶ５の処理を行うことになる。
【００３９】
ステップＶ４において、制御回路２は、文字データ及び画像データをディスプレイ８に表示させたとき、メモリ４に記憶された顔文字が表示されたか否かを判定する（ステップＶ５）。制御回路２は、メモリ４に記憶された顔文字に対応する文字データをディスプレイ８に表示させた場合（ステップＶ５：Ｙｅｓ）、対応するファイル名の顔画像をディスプレイ８の背景画面に設定表示させる（ステップＶ６）。
【００４０】
図１０（ａ）、図１０（ｂ）は、このときの動作の一例を概略的に示している。
文字データとして、図１０（ａ）のように無線回路３を介して電子メールを受信した場合に、制御回路２がディスプレイ８に”笑った顔”の顔文字を表示させると、"warai.gif"ファイルをメモリ４中から読取り、笑った顔をディスプレイ８に設定表示させることになる。同様に図９から、文字データの”泣き顔”の顔文字がスクロールによりディスプレイ８に表示されれば"naki.gif"ファイル，文字データの”驚きの顔”の顔文字が表示されれば"odoroki.gif"ファイルを背景画面に設定表示させることになる。
【００４１】
ステップＶ５において、制御回路２が顔文字をディスプレイ８に表示させていなければ、ステップＶ７の処理を行う。このステップＶ７において、ユーザにより電子メールの閲覧を終了するか否かを選択される。制御回路２は、「終了」ボタンがアクティブな状態で決定キーの押下信号を検出すると（ステップＶ７：Ｙｅｓ）、表示処理を終了する。制御回路２は、「終了」ボタンがアクティブな状態で決定キーの押下信号を検出しなければ（ステップＶ７：Ｎｏ）、ステップＶ１より文字データの表示を繰り返し、ステップＶ７において、「終了」ボタンがアクティブな状態で決定キーの押下信号を検出するまで、表示処理が繰り返される。
【００４２】
尚、上述した実施形態においては、文字データのみの電子メールを受信した場合につきその説明を行い、顔文字に対応する画像ファイルは携帯電話機１にあらかじめ記憶されるように構成したが、顔文字に対応するファイルとして画像データとして電子メールに添付されていてもよく、その顔文字に対応する添付画像ファイルを背景画面に設定表示することも可能である。すなわち、文字データから添付画像ファイルにリンクして背景画面に設定表示させることも可能である。
【００４３】
このような第３の実施形態によれば、メモリ４が例えば顔文字による特定文字情報を記憶していたとき、スクロールによりディスプレイ８に顔文字が表示されたときに、制御回路２は、顔文字に対応する画像をディスプレイ８に合成表示させることになる。これにより、使用する電子メールの受信ユーザに電子メールの”笑った顔”、”泣き顔”、”驚きの顔”等の内容を画像により視覚的情報を付加して伝えることができ、表現に多様性を持たせることができ、送信側及び受信側ユーザにとって双方の利便性を向上させることができる。
【００４４】
（第４の実施形態）
図１１ないし図１３は、本発明の第４の実施形態を示すもので、第１ないし第３の実施形態と異なるところは、電子メールに付加情報が添付されたときの制御回路２が行う表示処理である。第１の実施形態と同一部分には同一符号を付してその説明を省略し、以下異なる部分についてのみ説明する。尚、付加情報とは文字データからなるデータであり、画像データと同様に電子メールに添付されるデータを示している。
【００４５】
メモリ４には、画像表示を変化させるアプリケーションが組み込まれている。第１の実施形態中の図２に示すメイン処理において、無線回路３が例えば図１１に示すフォーマットの電子メールを受信する。図１１（ａ）は、電子メールのフォーマットを示しており、図１１（ｂ）は、このときの付加情報の内容を概略的に示している。このとき、電子メールは文字データ，画像データ及び付加情報から構成されており、付加情報は、指定文字及び顔表示変化の各データより構成されている。無線回路３が電子メールを受信すると、無線回路３は制御回路２に電子メールのデータを送信する。制御回路２は、第１の実施形態と同様にステップＳ１〜Ｓ９を繰り返し、ステップＳ８においては、添付された画像データを背景画面に設定表示し、ステップＳ９において図１２に示す表示処理を行う。
【００４６】
図１２は、表示処理のフローチャートを示している。
制御回路２は、添付された画像データを背景画面に設定表示した後、電子メールの文字データをディスプレイ８に表示させる（ステップＷ１）。制御回路２は、キーパッド５の上下矢印キーが押下されたか否かを判定する（ステップＷ２）。すなわち、キーパッド５の上下矢印キーの押下信号を検出していれば（ステップＷ２：Ｙｅｓ）、ディスプレイ８の表示文字を行ごとにスクロールして（ステップＷ３）、文字データ及び画像データをディスプレイ８に表示させる（ステップＷ４）。同時に制御回路２は、「終了」ボタンをディスプレイ８の端部に表示させる。尚、ステップＷ２において、制御回路２は、キーパッド５の上下矢印キーの押下信号を検出していなければ（ステップＷ２：Ｎｏ）、ステップＷ３，Ｗ４における処理を行わず、ステップＷ５の処理を行うことになる。
【００４７】
ステップＷ４において、制御回路２は、文字データ及び画像データをディスプレイ８に表示させたとき、受信した指定文字がディスプレイ８に表示されたか否かを判定する（ステップＷ５）。
【００４８】
図１３は、このときの動作の一例を概略的に示している。文字データ中の「楽しい顔」の中の指定文字として先頭から１５文字目の「楽」が表示されると、図１１の対応から携帯電話機１のメモリ４中に記憶されたアプリケーションで「笑う」顔に変化させて（ステップＷ６）、ディスプレイ８の背景画面に設定表示させる（ステップＷ７）。
【００４９】
ステップＷ５において、制御回路２が指定文字をディスプレイ８に表示させていなければ、ステップＷ８の処理を行うことになる。
【００５０】
ステップＷ８において、ユーザに電子メールの閲覧を終了するか否かを選択させる。制御回路２は、「終了」ボタンがアクティブな状態で決定キーの押下信号を検出していれば（ステップＷ８：Ｙｅｓ）、表示処理を終了する。「終了」ボタンがアクティブな状態でキーパッド５の決定キーの押下信号を検出していなければ（ステップＷ８：Ｎｏ）、ステップＷ２より文字データの表示を繰り返し、ステップＷ８において、「終了」ボタンが選択されるまで、表示処理が繰り返される。
【００５１】
ステップＷ８において、制御回路２が「終了」ボタンがアクティブな状態でキーパッド５の決定キーの押下信号を検出しなければ、同様に、ステップＷ３においてスクロール処理が行われ、６行目が表示されたときに、メモリ４中に記憶されたアプリケーションで「怒る」顔に変化させてディスプレイ８の背景画面に設定表示させる。また、先頭から８０文字目が表示された場合には、メモリ４中に記憶されたアプリケーションで「泣く」顔に変化させてディスプレイ８の背景画面に設定表示させることになる。
【００５２】
尚、上述の第４の実施形態においては、標準的な顔の画像データが添付されて携帯電話機１側で変化させたが、顔表示変化として携帯電話機１側のメモリ４に記憶された「笑う」，「怒る」，「泣く」等に対応した画像を用いて表示するように構成してもよい。
【００５３】
また、あらかじめ「笑う」，「怒る」，「泣く」等に対応した画像データが添付されていて、この画像データを表示させるように構成することもできる。
【００５４】
このような第４の実施形態によれば、付加情報として「笑う」，「怒る」，「泣く」といった感情を示すデータが付加された場合に、本発明の携帯電話機１に組み込まれたアプリケーションプログラムによって「笑う」画像や、「怒る」画像に変換されて、ディスプレイ８に画像データ及び文字データを表示するため、電子メールを受信するユーザに感情を伝えることができる。このとき、電子メール送信者の文字データ内容に対する感情を伝えることができる。これにより、電子メール送信者の文字データ内容を画像により感覚的に伝えることができるため、電子メールの送信側ユーザにとって利便性を向上させることができる。
【００５５】
（他の実施形態）
本発明は上述した実施形態に限定されず、以下に示す拡張が可能である。
添付される画像データは、カメラで受像したフルカラーの画像であってもよいし、送信側のアプリケーションプログラムによって変換された似顔絵のような画像データであってもよい。これにより、画像データのファイルが圧縮されることで受信負荷を軽減して受信側では見やすくなる。
【００５６】
尚、上述した実施形態において、スクロールをディスプレイ８の表示画面の行ごとに行ったが、文字毎、ページ毎（表示画面毎）に行っても良い。
【００５７】
第３実施形態で説明を行った特定文字情報については、顔文字に限定されず、「山」，「川」などの特定文字情報に対応して、山や川を含んだ風景を表示させることも可能である。
【００５８】
音声合成装置を制御回路２に接続して、文字データをこの音声合成装置によって音声に変換して出力する場合には、画像データに付加された情報に基づき適切な抑揚を付加して再生させることも可能である。
【図面の簡単な説明】
【図１】本発明の第１の実施形態を示す電気的構成図
【図２】携帯電話機の処理内容を示すフローチャート（その１）
【図３】ディスプレイ表示画面を示す図（その１）
【図４】電子メールのデータ構造図
【図５】携帯電話機の処理内容を示すフローチャート（その２）
【図６】ディスプレイ表示画面を示す図（その２）
【図７】本発明の第２の実施形態を示す図５相当図
【図８】本発明の第３の実施形態を示す図５相当図
【図９】メモリに記憶される顔文字及びファイル名の対応図
【図１０】図６相当図
【図１１】本発明の第４の実施形態を示す（ａ）図４相当図（ｂ）指定文字及び顔表示変化対応図
【図１２】図５相当図
【図１３】図６相当図
【符号の説明】
１は携帯電話機（携帯端末）、２は制御回路（制御手段）、３は無線回路（受信手段）、４はメモリ（記憶手段）、５はキーパッド（操作手段，選択手段）、６はマイクロホン、７はスピーカ、８はディスプレイ（表示手段）である。
【図１】
0004432271.tif 000002
【図２】
0004432271.tif 000003
【図３】
0004432271.tif 000004
【図４】
0004432271.tif 000005
【図５】
0004432271.tif 000006
【図６】
0004432271.tif 000007
【図７】
0004432271.tif 000008
【図８】
0004432271.tif 000009
【図９】
0004432271.tif 000010
【図１０】
0004432271.tif 000011
【図１１】
0004432271.tif 000012
【図１２】
0004432271.tif 000013
【図１３】
0004432271.tif 000014